(57)【要約】【課題】マスカラ等の液状化粧料の塗布容器において、液状化粧料のぼて付を解消する。【解決手段】軸体１１の一端に化粧料塗布体を有する塗布具１０と、液状化粧料が収容された容器本体２０を備え、化粧料塗布体１２が容器本体２０内に挿入され、塗布具１０が容器本体２０の口部に着脱自在に装着される液状化粧料塗布容器１Ａにおいて、容器本体内に揺動可能にレバー部材３０Ａを設ける。レバー部材３０Ａは、容器本体２０の中心軸に向かって突出した突出部３２を有し、塗布具１０の容器本体２０からの引き抜き時に塗布具１０がレバー部材３０Ａの突出部３２を容器本体１０の外周方向に変位させ、それによりレバー部材３０Ａが揺動し、化粧料塗布体１２の下端部１２ａに付着している液状化粧料が払われるようにする。【選択図】図１
2010063754.tif 000002
【特許請求の範囲】
【請求項１】
軸体の一端に化粧料塗布体を有する塗布具と、液状化粧料が収容された容器本体を備え、化粧料塗布体が容器本体内に挿入され、塗布具が容器本体の口部に着脱自在に装着される液状化粧料塗布容器であって、
容器本体内に揺動可能に取り付けられたレバー部材を有し、
レバー部材は、容器本体の中心軸に向かって突出した突出部を有し、
塗布具の容器本体からの引き抜き時に塗布具がレバー部材の突出部を容器本体の外周方向に変位させることによりレバー部材が揺動し、化粧料塗布体の下端部に付着している液状化粧料が払われるようにした液状化粧料塗布容器。
【請求項２】
レバー部材が弾性体からなる請求項１記載の液状化粧料塗布容器。
【請求項３】
塗布具の容器本体からの引き抜き時に、容器本体の外周方向に変位する塗布具の突出部が、塗布具の軸体に設けられた凸部からなる請求項１又は２記載の液状化粧料塗布容器。
【請求項４】
塗布具の容器本体からの引き抜き時に、容器本体の外周方向に変位する塗布具の突出部が、化粧料塗布体からなる請求項１又は２記載の液状化粧料塗布容器。
【請求項５】
レバー部材が容器本体内で対向する一対の短冊形部材を有する請求項１〜４のいずれかに記載の液状化粧用塗布容器。
【発明の詳細な説明】
【技術分野】
【０００１】
本発明は、マスカラ、アイライナー、アイシャドー、リップグロス等の液状化粧料を塗布する塗布具を備えた液体化粧料塗布容器に関する。
【背景技術】
【０００２】
従来、マスカラ、アイライナー、アイシャドー、リップグロス等の液状化粧料を塗布する化粧料塗布体を備えた液体化粧料塗布容器として、軸体の一端にブラシ、刷毛等の化粧料塗布体を備えた塗布具と、液状化粧料を収容した容器本体からなり、塗布具の化粧料塗布体を容器本体に挿入可能とし、塗布具が容器本体の口部の着脱自在なキャップともなる液状化粧料塗布容器が使用されている。
【０００３】
このような液状塗布容器においては、容器本体から塗布具を抜き出したときの化粧料塗布体に付着している液状化粧料の液量を調節するため、容器本体の口部内壁にゴムや熱可塑性弾性体で形成したしごき部材を周設することがなされている。しかしながら、容器本体の口部にしごき部材を設けると、塗布具の容器本体内への挿入時に容器本体内の圧力が増して塗布具が押し戻されるという所謂ポンピング現象が生じ、また、塗布具の抜き出し時には負圧により塗布具が抜きにくくなるという問題が生じる。そこで、容器本体の口部に設ける液量調節部材の化粧料塗布体との密着面に溝を形成することが提案されている（特許文献１）。
【０００４】
また、化粧料塗布体に付着した余分な液状化粧料を確実にしごくため、断面Ｕ字型のしごき部材と十字スリットの入ったしごき部材とを二重に設けること（特許文献２）や、ダイヤル式の絞りで液量調節部材の内寸を調節すること（特許文献３）が提案されている。
【０００５】
【特許文献１】特開2003-24135号公報
【特許文献２】特開2006-296824号公報
【特許文献３】特開2007-160116号公報
【発明の開示】
【発明が解決しようとする課題】
【０００６】
しかしながら、従来の液状化粧料塗布容器では、容器本体から引き抜いた化粧料塗布体における全体的な液状化粧料の付着量は調整できても、化粧料塗布体の下端部に過剰に付着した「ぼて付」と称される液状化粧料を除去することは困難である。
【０００７】
そのため、液状化粧料塗布容器の使用者は、容器本体から塗布具を引き抜いた後、容器本体の口部に化粧料塗布体を擦り付けて余分な液状化粧料を除去するなどしているが、容器本体の口部に化粧料塗布体を擦り付けると、口部が液状化粧料で汚れ、容器本体に塗布具を挿入してキャップを閉じようとしても、キャップが嵌り難くなったり、密封性が低下したりするという問題がある。
【０００８】
これに対し、本発明は、ぼて付を解消することのできる液状化粧料塗布容器を提供することを目的とする。
【課題を解決するための手段】
【０００９】
本発明者は、塗布具の引き抜き動作によりテコのように作用し、化粧料塗布体のぼて付を払うレバー部材を容器本体内に設けると、容器本体から引き抜いた化粧料塗布体からぼて付を解消できることを見出した。
【００１０】
即ち、本発明は、軸体の一端に化粧料塗布体を有する塗布具と、液状化粧料が収容された容器本体を備え、化粧料塗布体が容器本体に挿入され、塗布具が容器本体の口部に着脱自在に装着される液状化粧料塗布容器であって、
容器本体内に揺動可能に取り付けられたレバー部材を有し、
レバー部材は、容器本体の中心軸に向かって突出した突出部を有し、
塗布具の容器本体からの引き抜き時に塗布具がレバー部材の突出部を容器本体の外周方向に変位させることによりレバー部材が揺動し、化粧料塗布体の下端部に付着している液状化粧料が払われるようにした液状化粧料塗布容器を提供する。
【発明の効果】
【００１１】
本発明の液状化粧料塗布容器によれば、容器本体から塗布具を引き抜くときに、容器本体内で塗布具がレバー部材の突出部を容器本体の外周方向に変位させ、それによりレバー部材が揺動し、化粧料塗布体の下端部に付着している液状化粧料のぼて付を払うので、容器本体から引き抜いた塗布具からぼて付をなくすことができる。
【００１２】
また、レバー部材の突出部が容器本体の外周方向に変位すると、それにより容器本体の内と外を連通させる間隙が生じるので、塗布具が容器本体内の負圧により引き抜きにくくなることもない。
【００１３】
さらに、レバー部材の突出部で塗布具の軸体を拭うことが可能となるので、塗布具の軸体が液状化粧料で汚れることを防止できる。
【００１４】
加えて、レバー部材を弾性体から形成し、レバー部材の突出部が化粧料塗布体のしごき部として機能するようにその突出量を調整すると、しごき部材を別個に設けることが不要となり、コストパフォーマンスが向上する。
【発明を実施するための最良の形態】
【００１５】
以下、図面に基づき、本発明を詳細に説明する。なお、各図中、同一符号は、同一又は同等の構成要素を表している。
【００１６】
図１は、本発明の一実施例の液状化粧料塗布容器１Ａであって、塗布具１０を容器本体２０に挿入した状態から、引き抜いた状態までのレバー部材３０Ａの作用を示す断面図であり、図２Ａ〜図２Ｄは、塗布具１０を容器本体２０から引き抜いていく途中のレバー部材３０Ａ付近の拡大断面図であり、図３はレバー部材３０Ａの斜視図（ａ）及び断面図（ｂ）、（ｃ）である。
【００１７】
この液状化粧料塗布容器１Ａは、軸体１１の一端に化粧料塗布体１２を有し、他端に把持部１３を有する塗布具１０と、マスカラ、アイライナー、アイシャドー、リップグロス等の液状化粧料が収納された容器本体２０を備えている。
【００１８】
塗布具１０は、容器本体２０の口部からその内部に挿入され、容器本体２０のキャップとなるように構成されており、容器本体２０の口部に着脱自在に装着される。
【００１９】
容器本体２０の内部には、図３（ａ）に示すレバー部材３０Ａが装着されている。このレバー部材３０Ａはリジッドなプラスチック材料から形成されており、対向する一対の短冊形部材３１ａ、３１ｂを有している。各短冊形部材３１ａ、３１ｂは、上部が容器本体２０の口部に嵌合する半環状型で、下部が容器本体２０の長手方向に伸びた略短冊形であり、その上部寄りに容器本体２０の中心軸に向かって突出した突出部３２を有している。また、各短冊形部材３１ａ、３１ｂは、その下端部３３に容器本体２０の中心軸に向かって突出した屈曲部３３ａを有している。ここで、対向する屈曲部３３ａ同士の距離は、この間を化粧料塗布体１２が通ることにより、化粧料塗布体１２に過剰に付着した液状化粧料が或程度除去できるように、化粧料塗布体１２が植毛ブラシから構成されている場合には、レバー部材３０Ａが揺動していない状態（図１（ａ））において、化粧料塗布体１２をその直径方向に押し込んだ場合の最小径とすることが好ましい。
【００２０】
また、レバー部材３０Ａは、突出部３２と屈曲部３３ａの間の側面は、レバー部材３０Ａの断面（図３（ｂ））において容器本体２０の外周方向に曲線で突出したリブ状部３４を有しており、このリブ状部３４は、容器本体２０の内壁に回動可能に係合している。また、一対の短冊形部材３１ａ、３１ｂのリブ状部材３４同士の接合部３４ａは、図３（ｃ）に示すように回動可能となっている。
【００２１】
したがって、図３（ｂ）に示すように、突出部３２を矢印のように容器本体２０の外周方向に押圧して変位させると、レバー部材３０Ａは、同図の破線のようにリブ状部３４を支点として下端部３３が破線のように矢印方向に変位し、テコのように動作する。
【００２２】
一方、塗布具１０の軸体１１には、化粧料塗布体１２の上方に凸部１４が設けられている。この凸部１４の径は、化粧料塗布体１２の径よりも、軸体１１の凸部１４以外の大部分の径よりも、またレバー部材３０Ａの対向する突出部３２の内寸よりも大きくなっている。そして、塗布具１０を容器本体２０から引き抜くときに、凸部１４がレバー部材３０Ａの対向する突出部３２の間を通ると、凸部１４が対向している突出部３２を容器本体２０の外周方向に押圧し、後述するようにレバー部材３０の下端部３３を揺動させるように形成されている。また、軸体１１の大部分の径や化粧料塗布体１２の径も、一対の突出部３２の内寸より大きく形成されているが、凸部１４と化粧料塗布体１２の間の軸体１１には、一対の突出部３２の内寸よりも細い小径部分１５が形成されている。
【００２３】
なお、化粧料塗布体１２の種類としては、種々の態様をとることができ、例えば、植毛ブラシタイプ、成型ブラシタイプ、チップタイプ、刷毛タイプ、コームタイプ、コイルタイプ等とすることができる。また、化粧料塗布体１２の形状は、ストレート型、砲弾型、テーパー型、ピーナッツ型、タイコ型等とすることができ、さらに、化粧料塗布体自体にアール曲げ、角曲げ、中間曲げ等の曲げ加工が施されていても良い。
【００２４】
この液状化粧料塗布容器１Ａは、その使用時にレバー部材３０が次のように作用し、軸体１１や化粧料塗布体１２に付着した余分な液状化粧料を除去すると共に、化粧料塗布体１２の下端部１２ａに溜まるぼて付を除去し、塗布具１０の使い勝手を向上させる。
【００２５】
即ち、図１（ａ）のように塗布具１０を容器本体２０に装着した状態から図１（ｂ）のように塗布具１０を引き抜くと、図２Ａに示すようにレバー部材３０Ａの突出部３２が塗布具１０の軸体１１と摺接する。これにより、軸体１１に付着していた余分な液状化粧料を除去することができる。また、屈曲部３３ａ同士の距離が化粧料塗布体１２の径よりも小さい場合には、化粧料塗布体１２に付着している余分な液状化粧料を除去することができる。
【００２６】
引き続き、図１（ｃ）のように塗布具１０を引き抜くと、図２Ｂのように小径部分１５でレバー部材３０Ａの突出部３２の応力が解除され、塗布具１０を引き抜くことによる負圧を防止できる。
【００２７】
さらに図１（ｄ）のように塗布具１０を引き抜くと、軸体１１の凸部１４がレバー部材３０Ａの突出部３２を容器本体２０の外周方向に押圧し、図２Ｃのようにリブ状部３４を支点としてレバー部材３０Ａの下端部３３の屈曲部３３ａが容器本体２０の中心軸に向かって揺動し、容器本体の化粧料塗布体１２の下端部１２ａの直下で当接する。したがって、化粧料塗布体１２の下端部１２ａに生じたぼて付を払うことができる。また、このとき、レバー部材３０Ａの揺動により、レバー部材３０Ａを構成する一対の短冊形部材３１ａ、３１ｂの突出部３２の上方の当接部分が開き、図３（ｃ）に破線で示すように間隙３５が生じるので、塗布具１０の引き抜きによる容器本体２０内の負圧が解消する。したがって、容器本体２０内の負圧により塗布具１０が引き抜き難くなることもない。
【００２８】
さらに図１（ｅ）のように塗布具１０を引き抜くと、図２Ｄのようにレバー部材３０Ａの突出部３２が化粧料塗布体１２をしごき、化粧料塗布体１２に付着した余分な液状化粧料を除去することができる。
【００２９】
したがって、図１（ｆ）のように容器本体２０から引き抜いた塗布具１０は、化粧料塗布体１２に液状化粧料が適度に付着し、ぼて付がなく、使い勝手の良好なものとなる。
【００３０】
本発明の液状化粧料塗布容器は種々の態様をとることができる。
【００３１】
例えば、図４の液状化粧料塗布容器１Ｂは、上述の液状化粧料塗布容器１Ａと同様に、レバー部材３０Ｂが突出部３２と、屈曲部３３ａを備えた下端部と、リブ状部３４を有するが、レバー部材３０Ｂを弾性体から形成したものである。これにより、塗布具１０を容器本体２０に装着した状態から、塗布具１０を引き抜き、軸体１１の凸部１４がレバー部材３０Ａの突出部３２を容器本体２０の外周方向に押圧したときに、図４に示すように、レバー部材３０Ｂが撓み、リブ状部３４を支点としてレバー部材３０Ｂの下端部３３が容器本体２０の中心軸に向かって揺動し、下端部３３の屈曲部３３ａが化粧料塗布体１２の下端部１２ａの直下で当接する。したがって、化粧料塗布体１２の下端部１２ａに生じたぼて付を払うことができる。
【００３２】
また、レバー部材３０Ｂを弾性体から形成しているので、その突出部３２が化粧料塗布体１２をしごき、化粧料塗布体１２に付着した余分な液晶化粧料を除去する効果（図１（ｅ））を向上させることができる。
【００３３】
図５に示す液状化粧料塗布容器１Ｃは、上述の液状化粧料塗布容器１Ｂのレバー部材３０Ｂの下方にしごき部材２１を設けたものである。ここで、しごき部材２１としては、弾性体からなる板状部材に、化粧料塗布体１２の外径よりも小径の孔を開けたもの、あるいはそれに放射状のスリットを形成したもの等、公知のしごき部材２１を使用することができる。
【００３４】
このようにしごき部材２１を設けることにより、容器本体２０から塗布具１０を引き抜くときに、図５（ａ）に示すように、しごき部材２１で化粧料塗布体１２をしごいた後、図５（ｂ）に示すように、レバー部材３０Ｂの下端部３３で化粧料塗布体１２の下端部１２ａのぼて付を払うことができるので、より効果的にぼて付を除去することができる。
【００３５】
図６の液状化粧料塗布容器１Ｄは、図１の液状化粧料塗布容器１Ａから軸体１１の凸部１４を省略し、化粧料塗布体１２の外径を大きくし、レバー部材３０Ｃの突出部３２と下端部３３との距離Ｌを短くしたものである。この液状化粧料塗布容器１Ｄにおいても、図６（ａ）に示すように、塗布具１０の引き抜き時にレバー部材３０Ｃの突出部３２が軸体１１と摺接し、軸体１１に付着していた余分な液状化粧料を除去できるようにすることが好ましい。また、化粧料塗布体１２がレバー部材３０Ｃの突出部３２を通るときには、図６（ｂ）に示すように、化粧料塗布体１２の上部肩部１２ｂがレバー部材３０Ｃの突出部３２を、容器本体２０の外周方向に押圧し、それによりリブ状部３４を支点としてレバー部材３０Ｃの下端部３３が容器本体２０の中心軸に向かって揺動し、化粧料塗布体１２の下端部１２ａがレバー部材３０Ｃの下端部３３を通り抜けた直後には、図６（ｃ）に示すように、その下端部１２ａのぼて付が払われるようにする。このように軸体１１の凸部１４を省略し、化粧料塗布体１２の外径を大きくして化粧料塗布体１２でレバー部材の突出部３２が押圧されるようにすると、容器本体２０から塗布具１０を引き抜く間に、化粧料塗布体１２は、レバー部材３０Ｃの突出部３２と下端部３３でしごかれるので、化粧料塗布体１２から余分な液状化粧料を除去することができる。さらに、図６（ｃ）に示すように、化粧料塗布体１２の下端部１２ａの直下でぼて付が払われた後、化粧料塗布体１２の下端部１２ａが、レバー部材３０Ｃの突出部３２を通るまでの距離Ｌが短いから、その間に化粧料塗布体１２の下端部１２ａに再度ぼて付が生じることを防止できる。
【００３６】
図７のレバー部材３０Ｄは、それを構成する一対の短冊形部材３１ａ、３１ｂのうち、一方の部材３１ａのみが、突出部３２を容器本体の外周方向へ押圧することによりテコのように動き、その下端部３３が化粧料塗布体の下端部のぼて付を払うようにしたものである。
【００３７】
一対の短冊形部材３１ａ、３１ｂのうち、一方の部材３１ａのみが動くことにより、使用者は、動かない他方の部材３１ｂに沿って塗布具を抜き差しすることができ、これにより、抜き差し時に塗布具１０が軸方向に対して傾かないように矯正することができる。なお、この態様において、レバー部材の可動域を十分にするためには、動く方の部材３１ａの負担が増えるので、この負担を防止する点からは、レバー部材は、図１の態様のように一対の短冊形部材３１ａ、３１ｂから構成することが好ましい。
【００３８】
図８のレバー部材３０Ｅは、同図（ａ）に示すように、レバー部材３０Ｅを４つの短冊形部材３１ａ、３１ｂ、３１ｃ、３１ｄから構成し、各部材３１ａ、３１ｂ、３１ｃ、３１ｄの突出部３２が塗布具で容器本体の外周方向に押圧されることにより、同図（ｂ）に示すようにリブ状部３４を支点として各部材３１ａ、３１ｂ、３１ｃ、３１ｄの下端部３３が斜め上方に変位し、その側辺３６が化粧料塗布体の下端部の直下に集まり、そこに付着していたぼて付を払うようにしたものである。
【００３９】
このようにレバー部材３０Ｅの構成部品の側辺３６でぼて付を払うことにより、化粧料塗布体のシゴキとボテ付き防止をレバー部材３０Ｅの同一部位にて行うことができる。
【００４０】
図９のレバー部材３０Ｆは弾性体から形成されている。このレバー部材３０Ｆは上部に二重の筒状体３７ａ、３７ｂを有し、これらはその上端部で連続している。また、内側の筒状体３７ａには突出部３２が形成されている。
【００４１】
レバー部材３０Ｆは、突出部３２が塗布具で矢印のように容器本体の外周方向に押圧されることにより同図（ｂ）に破線で示すように撓み、その下端部３３が揺動し、化粧料塗布体の下端部のぼて付を払う。
【００４２】
このレバー部材３０Ｆにおいては、内側の筒状体３７ａには容器本体と係合する部位は設けられておらず、外側の筒状体３７ｂに容器本体と係合するリブ状部３９が設けられている。これによりレバー部材３０Ｆの容器本体からの抜けを防止することができる。
【００４３】
図１０のレバー部材３０Ｇも弾性体から形成されている。このレバー部材３０Ｇは、二重の筒状体３７ａ、３７ｂを有し、外側の筒状体３７ｂの上下方向の中間部に内側の筒状体３７ａが位置し、内側の筒状体３７ａの上部寄りにある連結部３８で内側の筒状体３７ａと外側の筒状体３７ｂが連続している。また、内側の筒状体３７ａの上端部には内向きに突出部３２が形成されている。同図（ｂ）に示すように、このレバー部材３０Ｇでは、突出部３２が塗布具で矢印のように外周方向に押圧されることにより、内側の筒状体３７ａが破線で示すように連結部３８を支点として回動するように撓み、その下端部３３がレバー部材３０Ｇの中心軸に向かって揺動し、化粧料塗布体の下端部のぼて付を払う。
【００４４】
この場合、突出部３２と下端部３３との距離Ｌは、塗布体の長さに比して短く形成されているから、図６の液状化粧料塗布容器１Ｄと同様に、化粧料塗布体の下端部の直下でぼて付が払われた後、化粧料塗布体の下端が、レバー部材３０Ｇの突出部３２を通るまでの間に化粧料塗布体の下端部に再度ぼて付が生じることを防止できる。
【００４５】
また、図９のレバー部材３０Ｆと同様に、図１０のレバー部材３０Ｇにも内側の筒状体３７ａには容器本体と係合する部位は設けられておらず、外側の筒状体３７ｂに容器本体と係合するリブ状部３９が設けられているため、レバー部材３０Ｇの容器本体からの抜けを防止することができる。
【００４６】
以上のレバー部材のうち、リブ状部３４を支点としてレバー部材の短冊状部材３１ａ、３１ｂが揺動する態様３０Ａ〜３０Ｅでは、塗布具１０を容器本体２０から引き抜くときに、レバー部材が引き抜かれることを防止するため、レバー部材の短冊形部材３１ａ、３１ｂ同士が係合する接合部３４ａにおいて、その摺動面を球面とせず、例えば、図１１に示すように、揺動時に支点となる部位Ｐを塗布具１０の長手方向に偏位させてもよい。なお、図１１は、図３（ｃ）と同様に、レバー部材を接合部３４ａで縦断した断面図であり、図１２（ａ）は、その接合部３４ａ付近の拡大図である。これらの図から、短冊状部材３１ａ、３１ｂが揺動し、接合部３４ａが矢印のように回動するときに、リブ状部３４の容器本体側端部と、揺動時に支点となる部位Ｐとの水平方向の距離がＳ0からＳ1へ増大するので、リブ状部３４はその側面が矢印Ｑのように容器本体内壁に押圧される。したがって、レバー部材の抜けを防止することができる。これに対し、図１２（ｂ）に示すように、接合部３４ａの摺動面を球面とすると、短冊状部材が揺動し、接合部３４ａが矢印のように回動するときに、リブ状部３４の容器本体側端部と、揺動時に支点となる部位Ｐとの水平方向の距離がＳ0からＳ1へ縮小するので、レバー部材と容器本体との嵌合が緩くなる。
【００４７】
さらに、図１３に示すように、レバー部材の接合部３４ａにおいて、互いに係合する一方３４ａａを、円板状にし、抜け防止部材４０を設けてもよい。これにより接合部３４ａによる軸受けの動作を単一方向に抑制することができる。
【産業上の利用可能性】
【００４８】
本発明は、マスカラ、アイライナー、アイシャドー、リップグロス等の種々の液状化粧用の塗布容器として有用である。
【図面の簡単な説明】
【００４９】
【図１】液状化粧料塗布容器の作用を示す断面図である。
【図２Ａ】液状化粧料塗布容器のレバー部材付近の拡大断面図である。
【図２Ｂ】液状化粧料塗布容器のレバー部材付近の拡大断面図である。
【図２Ｃ】液状化粧料塗布容器のレバー部材付近の拡大断面図である。
【図２Ｄ】液状化粧料塗布容器のレバー部材付近の拡大断面図である。
【図３】レバー部材の斜視図（ａ）及び断面図（ｂ）、（ｃ）である。
【図４】液状化粧料塗布容器のレバー部材付近の拡大断面図である。
【図５】液状化粧料塗布容器のレバー部材付近の拡大断面図である。
【図６】液状化粧料塗布容器のレバー部材付近の拡大断面図である。
【図７】レバー部材の断面図である。
【図８】レバー部材の突出部の非押圧時（ａ）と押圧時（ｂ）の斜視図である。
【図９】レバー部材の斜視図（ａ）及び断面図（ｂ）である。
【図１０】レバー部材の斜視図（ａ）と断面図（ｂ）、（ｃ）である。
【図１１】レバー部材の断面図である。
【図１２】レバー部材の接合部付近の拡大図である。
【図１３】レバー部材の斜視図である。
【符号の説明】
【００５０】
１Ａ、１Ｂ、１Ｃ、１Ｄ、１Ｅ、１Ｆ、１Ｇ    液状化粧料塗布容器
１０    塗布具
１１    軸体
１２    化粧料塗布体
１２ａ  化粧料塗布体の下端部
１２ｂ  化粧料塗布体の上部肩部
１３    把持部
１４    凸部
１５    小径部分
２０    容器本体
２１    しごき部材
３０Ａ、３０Ｂ、３０Ｃ、３０Ｄ、３０Ｅ、３０Ｆ、３０Ｇ    レバー部材
３１ａ、３１ｂ、３１ｃ、３１ｄ    短冊形部材
３２    突出部
３３    レバー部材の下端部
３３ａ  屈曲部
３４    リブ状部
３４ａ  接合部
３５    間隙
３６    側辺
３７ａ、３７ｂ    筒状体
３８    連結部
３９    リブ状部
４０    押さえ部材
【図１】
2010063754.tif 000003
【図２Ａ】
2010063754.tif 000004
【図２Ｂ】
2010063754.tif 000005
【図２Ｃ】
2010063754.tif 000006
【図２Ｄ】
2010063754.tif 000007
【図３】
2010063754.tif 000008
【図４】
2010063754.tif 000009
【図５】
2010063754.tif 000010
【図６】
2010063754.tif 000011
【図７】
2010063754.tif 000012
【図８】
2010063754.tif 000013
【図９】
2010063754.tif 000014
【図１０】
2010063754.tif 000015
【図１１】
2010063754.tif 000016
【図１２】
2010063754.tif 000017
【図１３】
2010063754.tif 000018